【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
ポリ（ビニルアセタール）樹脂及び少なくとも１種類の可塑剤を含む少なくとも１つのポリマー層を含み、ポリマー層は少なくとも１．４８０の屈折率を有し、中間膜は０．８５ｍｒａｄ以下の全体的なくさび角度を有するテーパー状の区域を含むテーパー状中間膜。
【請求項２】
テーパー状の区域は０．５５ｍｒａｄ未満の全体的なくさび角度を有し、ポリマー層は少なくとも１．５００の屈折率を有する、請求項１に記載の中間膜。
【請求項３】
中間膜はモノリス型中間膜である、請求項１又は２に記載の中間膜。
【請求項４】
中間膜は、ポリマー層、及びかかるポリマー層に隣接する他のポリマー層を含む多層中間膜であり、ポリマー層のガラス転移温度と他のポリマー層のガラス転移温度の間の差は少なくとも３℃である、請求項１又は２に記載の中間膜。
【請求項５】
他のポリマー層は第２のポリ（ビニルアセタール）樹脂及び少なくとも１種類の可塑剤を含み、ポリマー層中のポリ（ビニルアセタール）樹脂の残留ヒドロキシル含量と他のポリマー層中の第２のポリ（ビニルアセタール）樹脂の残留ヒドロキシル含量の間の差は少なくとも２重量％である、請求項４に記載の中間膜。
【請求項６】
テーパー状の区域は、曲線状の厚さプロファイル及び連続的に変化するくさび角度を有する少なくとも１つの変動角度の区域を含む、請求項１から５のいずれかに記載の中間膜。
【請求項７】
テーパー状の区域は、線状の厚さプロファイル及び一定のくさび角度を有する少なくとも１つの一定角度の区域を含む、請求項１から６のいずれかに記載の中間膜。
【請求項８】
１対の硬質基材及び請求項１から７のいずれかに記載の中間膜を含み、中間膜は１対の硬質基材の間に配置されており、硬質基材は４．０ｍｍ未満の合計厚さを有する多層パネル。
【請求項９】
１対の硬質基材；及び
基材の間に配置されている請求項１から７のいずれかに記載の中間膜；
を含み；
多層パネルの等価屈折率は硬質基材のそれぞれの屈折率よりも少なくとも０．０１０高い多層パネル。
【請求項１０】
基材のそれぞれの屈折率は中間膜の屈折率よりも少なくとも２０％低い、請求項９に記載のパネル。
【請求項１１】
中間膜の屈折率は少なくとも約１．６００である、請求項９に記載のパネル。
【請求項１２】
１対の硬質基材；及び
基材の間に配置されている請求項１から７のいずれかに記載のテーパー状中間膜；
を含み；
中間膜の屈折率は硬質基材のそれぞれの屈折率よりも少なくとも５％高い多層パネル。
【請求項１３】
パネルは硬質基材のそれぞれの屈折率よりも高い等価屈折率を有する、請求項１２に記載のパネル。
【請求項１４】
中間膜は約０．２５〜約１．２ｍｍの範囲の最小厚さ及び約０．３８〜約２．２ｍｍの範囲の最大厚さを有し、中間膜の最小厚さと中間膜の最大厚さの間の差は少なくとも約０．１３ｍｍであり、硬質基材のそれぞれの合計厚さは約４．０ｍｍ未満である、請求項１２に記載のパネル。
【手続補正２】
【補正対象書類名】明細書
【補正対象項目名】０１９１
【補正方法】変更
【補正の内容】
【０１９１】
[0183]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。例えば、与えられている任意の範囲の可塑剤を含むことに加えて、与えられている任意の範囲の残留ヒドロキシル含量を有するポリ（ビニルブチラール）を含む中間膜を形成して、本発明の範囲内であるが、列記するのは煩雑である多くの変形体を形成することができる。更に、フタレート又はベンゾエートのような属又はカテゴリーに関して与えられている範囲はまた、他に示していない限りにおいて、ジオクチルテレフタレートのようなそのカテゴリーの属又は構成要素の中の種に適用することもできる。
本発明は以下の実施態様を含む。
［１］ポリ（ビニルアセタール）樹脂及び少なくとも１種類の可塑剤を含む少なくとも１つのポリマー層を含み、ポリマー層は少なくとも１．４８０の屈折率を有し、中間膜は０．８５ｍｒａｄ以下の全体的なくさび角度を有するテーパー状の区域を含むテーパー状中間膜。
［２］テーパー状の区域は０．５５ｍｒａｄ未満の全体的なくさび角度を有し、ポリマー層は少なくとも１．５００の屈折率を有する、［１］に記載の中間膜。
［３］中間膜はモノリス型中間膜である、［１］に記載の中間膜。
［４］中間膜は、ポリマー層、及びかかるポリマー層に隣接する他のポリマー層を含む多層中間膜であり、ポリマー層のガラス転移温度と他のポリマー層のガラス転移温度の間の差は少なくとも３℃である、［１］に記載の中間膜。
［５］他のポリマー層は第２のポリ（ビニルアセタール）樹脂及び少なくとも１種類の可塑剤を含み、ポリマー層中のポリ（ビニルアセタール）樹脂の残留ヒドロキシル含量と他のポリマー層中の第２のポリ（ビニルアセタール）樹脂の残留ヒドロキシル含量の間の差は少なくとも２重量％である、［４］に記載の中間膜。
［６］テーパー状の区域は、曲線状の厚さプロファイル及び連続的に変化するくさび角度を有する少なくとも１つの変動角度の区域を含む、［１］に記載の中間膜。
［７］テーパー状の区域は、線状の厚さプロファイル及び一定のくさび角度を有する少なくとも１つの一定角度の区域を含む、［１］に記載の中間膜。
［８］１対の硬質基材及び［１］に記載の中間膜を含み、中間膜は１対の硬質基材の間に配置されており、硬質基材は４．０ｍｍ未満の合計厚さを有する多層パネル。
［９］１対の硬質基材；及び
基材の間に配置されており、０．８５ｍｒａｄ未満の全体的なくさび角度を有するテーパー状の区域を含む中間膜；
を含み；
多層パネルの等価屈折率は硬質基材のそれぞれの屈折率よりも少なくとも０．０１０高い多層パネル。
［１０］多層パネルの等価屈折率は少なくとも１．５００である、［９］に記載のパネル。
［１１］基材のそれぞれの屈折率は中間膜の屈折率よりも少なくとも２０％低い、［９］に記載のパネル。
［１２］中間膜の屈折率は少なくとも約１．６００である、［９］に記載のパネル。
［１３］テーパー状の区域は０．５５ｍｒａｄ未満の全体的なくさび角度を有する、［９］に記載のパネル。
［１４］中間膜はポリ（ビニルアセタール）樹脂及び少なくとも１種類の可塑剤を含む少なくとも１つのポリマー層を含み、硬質基材のそれぞれの合計厚さは４．０ｍｍ以下である、［９］に記載のパネル。
［１５］中間膜は、それぞれがポリ（ビニルアセタール）樹脂及び少なくとも１種類の可塑剤を含む２以上のポリマー層を含む多層中間膜を含み、中間膜は少なくとも２つのガラス転移温度を有し、２つのガラス転移温度の間の差は少なくとも約３℃である、［１４］に記載のパネル。
［１６］１対の硬質基材；及び
基材の間に配置されており、少なくとも１種類のポリマー樹脂を含むテーパー状中間膜；
を含み；
中間膜の屈折率は硬質基材のそれぞれの屈折率よりも少なくとも５％高い多層パネル。
［１７］テーパー状部は０．８５ｍｒａｄ以下のくさび角度を有するテーパー状の区域を含み、中間膜は少なくとも約１．４８０の屈折率を有する少なくとも１つのポリマー層を含む、［１６］に記載のパネル。
［１８］パネルは硬質基材のそれぞれの屈折率よりも高い等価屈折率を有する、［１６］に記載のパネル。
［１９］中間膜は、少なくとも第１のポリマー層及び第１のポリマー層に隣接する第２のポリマー層を含む多層中間膜であり、第１のポリマー層は第１のポリ（ビニルアセタール）樹脂及び少なくとも１種類の可塑剤を含み、第２のポリマー層は第２のポリ（ビニルアセタール）樹脂及び少なくとも１種類の可塑剤を含み、第１のポリマー層のガラス転移温度と第２のポリマー層のガラス転移温度の間の差は少なくとも３℃であり、第１のポリ（ビニルアセタール）樹脂の残留ヒドロキシル含量と第２のポリ（ビニルアセタール）樹脂の残留ヒドロキシル含量の間の差は少なくとも２重量％である、［１６］に記載のパネル。
［２０］中間膜は約０．２５〜約１．２ｍｍの範囲の最小厚さ及び約０．３８〜約２．２ｍｍの範囲の最大厚さを有し、中間膜の最小厚さと中間膜の最大厚さの間の差は少なくとも約０．１３ｍｍであり、硬質基材のそれぞれの合計厚さは約４．０ｍｍ未満である、［１６］に記載のパネル。